(57)【特許請求の範囲】
【請求項１】
複数の入出力ポートを端末側およびネットワーク側に備え、端末側およびネットワーク側における各ポートに対応するインタフェース部と装置全体の制御を行う主制御部とを備え、端末側のポートとネットワーク側のポートとの間で任意に情報伝達経路を選択するルータ装置において、
前記端末側のポートと前記ネットワーク側のポートとの間でのアクセス状況に応じて、装置内の各部に供給する電力を制御する電力供給制御手段を備え、
前記電力供給制御手段は、前記主制御部および前記端末側の各ポートに対応するインタフェース部に対する電力供給制御を行う第一の電力供給手段と、前記ネットワーク側の各ポートに対応するインタフェース部に対する電力供給制御を行う第二の電力供給手段とを含み、
前記第一の電力供給手段は、前記端末側の各ポートにてやりとりがなされる特定信号の検出結果に基づいて電力供給制御を行い、
前記第二の電力供給手段は、前記ネットワーク側の各ポートに対するアクセス要求を監視することにより電力供給制御を行う
ことを特徴とするルータ装置。
【請求項２】
第一の電力供給手段は、リンク確立状態を示す信号の検出が一定時間内になされなかったときには、検出のされていないポートに対応するインタフェース部に対する電力供給を停止し、
第二の電力供給手段は、一定時間内にアクセス要求がなされていないポートに対応するインタフェース部に対する電力供給を停止する
請求項１記載のルータ装置。
【請求項３】
端末側のポートとネットワーク側のポートとの間でやりとりがなされるデータには、端末側のポートに接続される機器のアドレスを示すリンク元アドレスとネットワーク側のポートに接続される機器のアドレスを示すリンク先アドレスとが含まれ、
第二の電力供給手段は、リンク先アドレスを参照することによりネットワーク側のポートに対するアクセス要求を把握する
請求項１または請求項２記載のルータ装置。
【請求項４】
第一の電力供給手段は、端末側の全てのポートから一定時間内にリンク確立状態を示す信号を検出しないと、主制御部および端末側の各ポートに対応するインタフェース部に対する電力供給を停止する
請求項１から請求項３のうちのいずれか１項に記載のルータ装置。
【請求項５】
第二の電力供給手段は、第一の電力供給手段から電力が供給され、
第一の電力供給手段は、端末側の全てのポートから一定時間内にリンク確立状態を示す信号を検出しないと第二の電力供給手段に対する電力供給を停止する
請求項１から請求項４のうちのいずれか１項に記載のルータ装置。
【発明の詳細な説明】
【０００１】
【発明の属する技術分野】
本発明は、ルータ装置に関し、特に、装置全体の省電力化を図ることができるルータ装置に関する。
【０００２】
【従来の技術】
インターネット、ＬＡＮ（ローカルエリアネットワーク）等の通信ネットワークにおける通信において、ルータ装置がしばしば使用される。図８は、そのようなルータ装置の構成の一例を示すブロック図である。
【０００３】
図８に示す例では、端末装置８２１〜８２ｎは、ルータ８００を介して交換機８４１〜８４ｎと接続される。図示してはいないが、交換機８４１〜８４ｎは、それぞれ、ＬＡＮ（ローカルエリアネットワーク）、ＷＡＮ（ワイドエリアネットワーク）等の通信ネットワークと接続可能である。
【０００４】
端末装置８２１は、端末側モジュール８３１を介して主制御部８１０との間で情報のやりとりを行う。端末装置８２２〜８２ｎも、同様に、端末側モジュール８３２〜８３ｎを介して主制御部８１０との間で情報のやりとりを行う。一方、交換機８４１〜８４ｎは、それぞれ、ＷＡＮ側モジュール８５１〜８５ｎを介して主制御部８１０との間で情報のやり取りを行う。ここで、主制御部８１０、端末側モジュール８３１〜８３ｎおよびＷＡＮ側モジュール８５１〜８５ｎには、常に電力が供給されているものとする。この電力は、例えば。装置電源から供給される。
【０００５】
主制御部８１０は、ルータ８００の全体の制御を行い、例えば、ＣＰＵ（中央演算装置）等で構成される。主制御８１０は、必要に応じて、ＷＡＮ側モジュール８５１〜８５ｎに対してリンク情報を出力し、端末装置８２１〜８２ｎと交換機８４１〜８４ｎとの間の情報伝達経路の選択および確立を行う。例えば、端末装置８２１と交換機８４１との間の情報伝達経路の確立を行うときには、交換機８４１に接続されるＷＡＮ側モジュール８５１に対してリンク確立指示を出力する。
【０００６】
具体的には、主制御部８１０は、端末装置８２１〜８２ｎとの間でやり取りがなされるデータに含まれるルーティングプロトコルデータを参照して、端末装置８２１〜８２ｎと交換機８４１〜８４ｎとの間で情報伝達経路の選択および確立を行う。ルーティングプロトコルデータには、例えば、リンク元のアドレス、リンク先のアドレスおよび実際にやり取りがなされる送受信データが含まれる。情報伝達経路として端末装置８２１と交換機８４１との間が選択される場合には、リンク元のアドレスには、端末装置８２１のアドレスが、リンク先のアドレスには、交換機８４１のアドレスが格納される。
【０００７】
【発明が解決しようとする課題】
しかし、上記のルータ装置では、ルータ装置の装置電源が投入された場合、主制御部８１０、端末側モジュール８３１〜８３ｎおよびＷＡＮ側モジュール８５１〜８５ｎには、常に、電力が供給される。つまり、端末装置８２１〜８２ｎに電源が投入されていない場合、端末装置８２１〜８２ｎと交換機８４１〜８４ｎとの間で全く情報のやり取りがなされていないといった場合等であっても、これらの装置には電力が供給される。
【０００８】
このため、ルータ装置全体としての消費電力が高くなり、運転コストの面において無駄が生じることがある。また、消費電力が高くなることによって、装置の全体または一部分が発熱することもあり、製品寿命の短縮化、安全性の低下等の問題を引き起こすこともある。
【０００９】
そこで、本発明は、以上のような問題を解決するものであって、装置全体の消費電力の低減化を図ることができるルータ装置を提供することを目的とする。
【００１０】
【課題を解決するための手段】
端末側のポートとネットワーク側のポートとの間でのアクセス状況に応じて、装置内の各部に供給する電力を制御する電力供給制御手段を備えたことを特徴とする。
【００１１】
電力供給制御手段は、主制御部および端末側の各ポートに対応するインタフェース部に対する電力供給制御を行う第一の電力供給手段と、ネットワーク側の各ポートに対応するインタフェース部に対する電力供給制御を行う第二の電力供給手段とを備え、第一の電力供給手段は、端末側の各ポートにてやりとりがなされる特定信号の検出結果に基づいて電力供給制御を行い、第二の電力供給手段は、ネットワーク側の各ポートに対するアクセス要求を監視することにより電力供給制御を行う。
【００１２】
第一の電力供給手段は、リンク確立状態を示す信号の検出を一定時間内になされなかったときには、検出のされていないポートに対応するインタフェース部に対する電力供給を停止し、第二の電力供給手段は、一定時間内にアクセス要求がなされていないポートに対応するインタフェース部に対する電力供給を停止する。従って、情報のやりとりに必要とされない端末側およびネットワーク側のポートに対応するインタフェース部に対する電力供給を停止することができ、装置全体としての消費電力の低減化を図ることができる。
【００１３】
端末側のポートとネットワーク側のポートとの間でやりとりがなされるデータには、端末側のポートに接続される機器のアドレスを示すリンク元アドレスとネットワーク側のポートに接続される機器のアドレスを示すリンク先アドレスとが含まれ、第二の電力供給手段は、リンク先アドレスを参照することによりネットワーク側のポートに対するアクセス要求を把握する。
【００１４】
第一の電力供給手段は、端末側の全てのポートから一定時間内にリンク確立状態を示す信号を検出しないと、主制御部および端末側の各ポートに対応するインタフェース部に対する電力供給を停止する。よって、このような場合には、主制御部および情報のやり取りに必要とされないポートに対応するインタフェース部に対する電力供給を停止することができるので、装置全体としての消費電力をさらに低減させることができる。
【００１５】
第二の電力供給手段は、第一の電力供給手段から電力が供給され、第一の電力供給手段は、端末側の全てのポートから一定時間内にリンク確立状態を示す信号を検出しないと第二の電力供給手段に対する電力供給を停止する。よって、このような場合には、第一の電力供給手段においてのみで電力が消費されるため、装置全体としての消費電力をさらに低減させることができる。また、第二の電力供給手段に対する電力供給を第一の電力供給手段が制御することで、電力供給系統を単一とすることができるので回路設計における側面においても都合がよい。
【００１６】
【発明の実施の形態】
以下、本発明による実施の形態について図面を参照して説明する。図１は、本発明によるルータ装置を用いた通信システムの一例を示す説明図である。
【００１７】
図１に示す通信システムでは、端末装置１１〜１ｎは、ルータ装置１００を介して交換機２００と接続される。交換機２００は、ＷＡＮ（ワイドエリアネットワーク）３００と接続される。端末装置１１〜１ｎは、ＷＡＮのような通信ネットワークに接続可能な端末装置であり、例えば、パーソナルコンピュータ等である。なお、図１では、交換機２００がＷＡＮ３００に接続されている例が例示されているが、交換機２００は、ＬＡＮ（ローカルエリアネットワーク）、インターネット等の通信ネットワークと接続されてもよい。
【００１８】
図２は、ルータ装置１００の内部の構成を示すブロック図である。ここで、特許請求の範囲に記載された第一の電力供給手段は、リンクパルス検出回路１２１〜１２ｎおよび電源制御部１７０に相当し、第二の電力供給手段は、スイッチ回路２０２およびＷＡＮ側モジュール制御回路２０３に相当する。端末側の各ポートに対応するインタフェース部は、端末側モジュール１１１〜１１ｎに相当し、ネットワーク側のポートに対応するインタフェース部は、ＷＡＮ側モジュール２０１に相当する。
【００１９】
端末装置１１は、端末側モジュール１１１を介して主制御部１３０との間で情報のやりとりを行う。同様に、端末装置１２〜１ｎは、それぞれ、端末側モジュール１１２〜１１ｎを介して主制御部１３０との間で情報のやり取りを行う。一方、交換機２００は、ＷＡＮ側モジュール２０１を介して主制御部１３０との間で情報のやり取りを行う。主制御部１３０とＷＡＮ側モジュール制御回路２０３との間では、必要な情報のやりとりがなされる。ここで、端末側モジュール１１１〜１１ｎおよび主制御部１３０は、電源制御部１７０を介して電力が供給される。
【００２０】
ＷＡＮ側モジュール２０１には、スイッチ回路２０２の制御によって電力が供給される。スイッチ回路２０２は、ＷＡＮ側モジュール制御回路２０３の指示に従ってＷＡＮ側モジュール２０１に対して電力を供給する。ここで、ＷＡＮ側モジュール制御回路２０３およびスイッチ回路２０２には、電源制御部１７０を介して電力が供給される。
【００２１】
リンクパルス検出回路１２１は、端末装置１１と端末側モジュール１１１との間の情報のやりとりを監視して、電源制御部１７０に対して必要な情報を通知する。リンクパルス検出回路１２２〜１２ｎも、同様な手順で必要な情報を電源制御部１７０に対して通知する。ここで、リンクパルス検出回路１２１〜１２ｎには、装置電源が投入されている間は、常に、装置電源等から電力が供給されているものとする。
【００２２】
電源制御部１７０は、主制御部１３０、端末側モジュール１１１〜１１ｎ、スイッチ回路２０２およびＷＡＮ側モジュール制御回路２０３に対する電力供給制御を行う。例えば、電源制御部１７０は、装置電源等から電力が供給され、リンクパルス検出回路１２１〜１２ｎからの通知に応じて、主制御部１３０、ＷＡＮ側モジュール制御回路２０３、スイッチ回路２０２および端末側モジュール１１１〜１１ｎに対して電力を供給する。
【００２３】
ここで、主制御部１３０は、装置全体の制御を行い、例えば、ＣＰＵ（中央演算処理装置）、データ蓄積用の記憶媒体、外部装置とのインタフェース機能をもつＩ／Ｏ（入出力装置）等で構成される。端末側モジュール１１１〜１１ｎは、パーソナルコンピュータ等の情報端末装置とのインタフェース機能をもち、例えば、１０ＢＡＳＥ−Ｔの規格に対応するインタフェースカード（ＩＮＦカード）等で構成される。ＷＡＮ側モジュール２０１は、ＷＡＮ等の通信ネットワークとのインタフェース機能をもち、例えば、ＡＴＭ２５、Ｉ４３０等の規格に対応するＩＮＦカード等で構成される。
【００２４】
次に、動作について説明する。ここでは、端末装置１１と交換機２００との間でのみ情報のやりとりがなされている場合を例にとって説明する。なお、端末装置１２〜１ｎと交換機２００との間の情報のやりとりの動作についても同様である。
【００２５】
アクセス中においては、端末装置１１〜１ｎとルータ装置１００との間では所定のデータのやりとりがなされる。このとき、端末装置１１〜１ｎとルータ装置１００との間の情報のやりとりは、所定の信号をもってなされる。以下、この所定の信号のことをリンクパルスという。
【００２６】
リンクパルス検出回路１２１〜１２ｎは、それぞれ、端末装置１１〜１ｎとルータ装置１００との間でやりとりがなされるリンクパルスの検出を行い、その検出結果を電源制御部１７０に対して出力する。本実施の形態では、端末装置１１とルータ装置１００との間においてのみリンクパルスのやり取りがなされるので、リンクパルス検出回路１２１は、リンクパルス検出の旨を電源制御部１７０に対して通知し、リンクパルス検出回路１２２〜１２ｎは、リンクパルス不検出の旨を電源制御部１７０に対して通知する。
【００２７】
ここで、リンクパルス検出回路１２１〜１２ｎの動作について説明する。図３は、リンクパルス検出回路１２１〜１２ｎの動作を説明するためのフローチャートである。
【００２８】
リンクパルス検出回路１２１は、端末装置１１とルータ装置１００との間でやり取りがなされるリンクパルスの検出があったか否かを判断する（ステップＳ３０１）。検出があった場合（ステップＳ３０１）、リンクパルス検出の旨を電源制御部１７０に対して通知する（ステップＳ３０３）。検出が無かった場合（ステップＳ３０１）、一定時間内にリンクパルスの検出が無かったか否かを判断する（ステップＳ３０２）。一定時間内に検出があった場合（ステップＳ３０２）、次に、ステップＳ３０３を実行する。一定時間内に検出が無かった場合（ステップＳ３０２）、電源制御部１７０に対してリンクパルス不検出の旨を通知する（ステップＳ３０４）。
【００２９】
本実施の形態では、リンクパルス検出回路１２１は、リンクパルス検出の旨を電源制御部１７０に対して通知する。一方、リンクパルス検出回路１２２〜１２ｎは、リンクパルス検出回路１２１と同様な動作を行うが、リンクパルスの検出を得ることができないため、リンクパルス不検出の旨を電源制御部１７０に対して通知する。
【００３０】
そして、電源制御部１７０は、リンクパルス検出回路１２１〜１２ｎからの通知結果をもとに、端末側モジュール１１１〜１１ｎに対する電力供給制御を行う。このとき、端末装置１１〜１ｎのうちいずれか一つでも情報のやりとり（アクセス）がなされている場合には、電源制御部１７０は、主制御部１３０、スイッチ回路２０２およびＷＡＮ側モジュール制御回路２０３に対して電力を供給する。本実施の形態では、主制御部１３０、ＷＡＮ側モジュール制御回路２０３、スイッチ回路２０２および端末側モジュール１１１に対して電力を供給する。
【００３１】
なお、リンクパルス検出回路１２１〜１２ｎは、ステップＳ３０１〜ステップ３０３またはステップＳ３０１〜ステップＳ３０４の動作を繰り返し実行する。従って、端末装置１１〜１ｎのうちいずれかが情報のやり取りを始めた場合には、対応する端末側モジュールには速やかに電力が供給される構成となっている。
【００３２】
主制御部１３０は、ルータ装置１００に接続される端末装置等のアドレス情報を内部メモリ等の記憶媒体に予め記憶させておく。本実施の形態では、端末装置１１〜１ｎおよび交換機２００のアドレスを記憶する。また、端末装置１１〜１ｎとルータ装置１００との間でやり取りがなされるデータ（リンクパルス）には、ルーティングプロトコルデータが含まれるとする。ルーティングプロトコルデータは、情報伝達経路の確立のために用いられるデータであり、例えば、図４に示すようにリンク先アドレス、リンク元アドレス、実際に情報のやりとりがなされる送受信データ等が含まれる。図４は、ルーティングプロトコルデータの一例を示す説明図である。
【００３３】
次に、主制御部１３０の動作について説明する。図５は、主制御部１３０の動作を説明するためのフローチャートである。
【００３４】
主制御部１３０は、端末側モジュール１１１〜１１ｎとルータ装置１００との間でやり取りがなされるルーティングプロトコルデータを受信する（ステップＳ５０１）。そして、前もって記憶される端末装置等のアドレスとルーティングプロトコルデータに含まれるリンク先アドレスおよびリンク元アドレスとを比較して、リンク元である端末装置およびリンク先である交換機のアドレスがルータ装置１００に接続されるものと一致するか否かを判断する（ステップＳ５０２）。
【００３５】
一致すれば（ステップＳ５０２）、ＷＡＮ側モジュール制御回路２０３に対してアクセス要求を通知する（ステップＳ５０３）。一致しなければ（ステップＳ５０１）、アクセス要求を通知しない（ステップＳ５０４）。本実施の形態では、リンク先アドレスには交換機２００のアドレスが格納され、リンク元アドレスには端末装置１１のアドレスが格納されるので、主制御部１３０は、ＷＡＮ側モジュール制御回路２０３に対してアクセス要求を通知する。
【００３６】
図６は、ＷＡＮ側モジュール制御回路２０３の動作を説明するためのフローチャートである。
【００３７】
ＷＡＮ側モジュール制御回路２０３は、主制御部１３０からアクセス要求があったか否かを判断する（ステップＳ６０１）。アクセス要求があった場合（ステップＳ６０１）、スイッチ回路２０２に対してＷＡＮ側モジュール２０１に対する電力供給を行う旨を通知し（ステップＳ６０２）、自己に備えられるタイマをＯＮにする（ステップＳ６０３）。タイマをＯＮにするのは、電源投入後におけるＷＡＮ側モジュール２０１のセットアップ時間を確保するためである。そして、ＷＡＮ側モジュール制御回路２０３は、一定時間経過後に、主制御部１３０に対してアクセス許可の通知を行う（ステップＳ６０４）。
【００３８】
アクセス要求が無かった場合（ステップＳ６０１）、ＷＡＮ側モジュール制御回路２０３は、一定時間内にアクセス要求があったか否かを判断する（ステップＳ６０５）。一定時間内にアクセス要求があった場合には、スイッチ回路２０２に対してＷＡＮ側モジュール２０１に対する電力供給を行う旨を通知する（ステップＳ６０６）。一定時間内にアクセス要求が無かった場合には、スイッチ回路２０２に対してＷＡＮ側モジュール２０１に対する電力供給を停止する旨を通知し（ステップＳ６０７）、主制御部１３０に対してアクセス不許可通知を行う（ステップＳ６０８）。アクセス不許可通知を受けた主制御部は、ＷＡＮ側モジュール２０１に対してアクセス不許可を示す通知を行う。
【００３９】
本実施の形態では、ＷＡＮ側モジュール制御回路２０３は、スイッチ回路２０２に対してＷＡＮ側モジュール２０１に対する電力供給を行う旨を通知する。そして、スイッチ回路２０２は、ＷＡＮ側モジュール２０１に対して電力を供給する。主制御部１３０は、ＷＡＮ側モジュール制御回路２０３からのアクセス許可通知に応じてＷＡＮ側モジュール２０１に対してリンクのために必要な情報を通知する。そして、主制御部１３０は、ＷＡＮ側モジュール２０１を介して得られる交換機２００からの情報を端末側モジュール１１１を介して端末装置１１に対して送信する。また、主制御部１３０は、端末側モジュール１１１を介して得られる端末装置１１からの情報をＷＡＮ側モジュール２０１を介して交換機２００に対して送信する。従って、端末装置１１と交換機２００との間で情報のやり取りが可能となる。つまり、端末装置１１と交換機２００との間の情報伝達経路が確立される。
【００４０】
なお、ＷＡＮ側モジュール制御回路２０３は、ステップＳ６０１〜Ｓ６０４、ステップＳ６０１〜６０６またはステップＳ６０１〜Ｓ６０８の動作を繰り返し実行する。従って、ＷＡＮ側モジュール制御回路２０３は、端末装置１１〜１ｎと交換機２００との間のアクセス状況に応じてスイッチ回路２０２に対して適宜ＷＡＮ側モジュール２０１に対する電力供給指示を行うことができる。
【００４１】
次に、端末装置１１と交換機２００との間で情報伝達経路が確立されているものの端末装置１１と交換機２００との間でアクセスが一定時間以上ない場合または端末装置１１〜１ｎが電源遮断等により作動していない場合の動作について説明する。なお、端末装置１２〜１ｎと交換機２００との間の動作についても同様である。
【００４２】
端末装置１１〜１ｎからのアクセスが無いため、主制御部１３０は、端末装置１１〜１ｎとルータ装置１００との間でやり取りがなされるルーティングプロトコルデータを受け取ることができない。そのため、主制御部１３０は、ＷＡＮ側モジュール制御回路２０３に対してアクセス要求を通知しない。従って、ＷＡＮ側モジュール制御回路２０３は、スイッチ回路２０２に対してＷＡＮ側モジュール２０１に対する電力供給を停止する旨を通知する（ステップＳ６０５〜Ｓ６０７）。それによって、ＷＡＮ側モジュール２０１には、電力が供給されない。
【００４３】
一方、リンクパルス検出回路１２１〜１２ｎは、端末装置１１〜１ｎとルータ装置１００との間でやり取りがなされるリンクパルスを検出することができないので、リンクパルス不検出の旨を電源制御部１７０に対して旨を通知する（ステップＳ３０２〜３０４）。
【００４４】
そして、電源制御部１７０は、端末側モジュール１１１〜１１ｎに対する電力供給を停止する。また、端末装置１１〜１ｎの全ての端末装置において情報のやり取りがなされていないので、主制御部１３０、スイッチ回路２０２およびＷＡＮ側モジュール制御回路２０３に対する電力供給も停止する。
【００４５】
以上のように、本実施の形態によれば、リンクパルス検出回路１２１〜１２ｎは端末装置１１〜１ｎとルータ装置１００との間でやり取りがなされるリンクパルスの検出結果を電源制御部１７０に対して通知し、電源制御部１７０は、その結果に応じて端末側モジュール１１１〜１１ｎ、主制御部１３０、スイッチ回路２０２およびＷＡＮ側モジュール制御回路２０３に対する電力供給を制御する。また、ＷＡＮ側モジュール制御回路２０３は、交換機２００に対するアクセス状況を把握し、スイッチ回路２０２を通じてＷＡＮ側モジュール２０１に対する電力供給を制御する。従って、ルータ装置１００内における動作に必要な部位のみに電力を供給することができるので、装置全体の消費電力の低減化を図ることができる。
【００４６】
例えば、端末装置１１〜１ｎのうち何れか一つ以上アクセスがある場合には、アクセスのある端末装置に対応する端末側モジュール、主制御部１３０、ＷＡＮ側モジュール制御回路２０３、スイッチ回路２０２およびＷＡＮ側モジュール２０１に対して電力を供給することができる。また、交換機２００と端末装置１１〜１ｎとの間がリンク確立状態であってもアクセスが一定時間なされていない端末装置がある場合には、その端末装置に対応する端末側モジュールに対する電力供給を停止することができる。さらに、全ての端末装置においてアクセスが一定時間なされていない状態では、端末側モジュール１１１〜１１ｎ、主制御部１３０、スイッチ回路２０２、ＷＡＮ側モジュール制御回路２０３およびＷＡＮ側モジュール２０１に対する電力供給を停止することができる。
【００４７】
上記の実施の形態では、ルータ装置１００の内部にＷＡＮ側モジュール２０１が一つ含まれる構成について説明したが、ルータ装置１００の内部にＷＡＮ側モジュールを複数含ませてもよい。図７は、本発明による他の実施の形態の構成を示すブロック図である。
【００４８】
図７に示すルータ装置では、図２に示すルータ装置に、ＷＡＮ側モジュール２１１〜２ｎ１、スイッチ回路２１２〜２ｎ２およびＷＡＮ側モジュール制御回路２１３〜２ｎ３が付加された構成となっている。ルータ装置１００には、交換機２１０〜２ｎ０が接続される。ここで、ＷＡＮ側モジュール２１１〜２ｎ１、スイッチ回路２１２〜２ｎ２およびＷＡＮ側モジュール制御回路２１３〜２ｎ３は、それぞれ、交換機２１０〜２ｎ０に対応しているものとする。
【００４９】
主制御部１３０は、先の実施の形態における動作と同様に、端末装置１１〜１１ｎと交換機２００〜２ｎ０との間でやり取りがなされるルーティングプロトコルデータに応じてＷＡＮ側モジュール制御回路２０３〜２ｎ３に対して必要なアクセス要求を通知する。ＷＡＮ側モジュール制御回路２０３〜２ｎ３は、自己に対応する交換機に対するアクセス要求があった場合には、スイッチ回路を通じて対応するＷＡＮ側モジュールへの電力供給を許可する。つまり、自己に対応する交換機に対するアクセス要求が無い場合には、同様の手順で、対応するＷＡＮ側モジュールに対する電力供給を停止させる。なお、ＷＡＮ側モジュール制御回路２０３〜２ｎ３が行う電力供給制御における動作は、先の実施の形態における動作と同様である。
【００５０】
以上のように、本実施の形態では、アクセス要求がなされている交換機に対応するＷＡＮ側モジュールに対してのみに電力が供給される。よって、ルータ装置１００に複数の交換機が接続された場合でも、装置全体の消費電力の低減化を図ることができる。
【００５１】
【発明の効果】
本発明によれば、電力供給制御手段は、端末側の各ポートにおいてやり取りがなされるリンク状態を示す信号の検出およびネットワーク側の各ポートに対するアクセス要求に応じて、端末側およびネットワーク側のポートに対応するユーザインタフェース部、主制御部に対する電力供給を制御する。従って、端末側のポートとネットワーク側のポートとの間における情報のやり取りに必要がないインタフェース部に対する電力供給を停止することができる。また、端末側のポートの全てにおいて情報のやり取りがなされていない場合には、主制御部および全てのインタフェース部に対する電力供給を停止することができる。よって、装置全体としての消費電力の低減化を図ることができる。
【図面の簡単な説明】
【図１】本発明によるルータ装置を用いた通信システムの一例を示す説明図である。
【図２】ルータ装置１００の内部の構成を示すブロック図である。
【図３】リンクパルス検出回路１２１〜１２ｎの動作を説明するためのフローチャートである。
【図４】ルーティングプロトコルデータの一例を示す説明図である。
【図５】主制御部１３０の動作を説明するためのフローチャートである。
【図６】ＷＡＮ側モジュール制御回路２０３の動作を説明するためのフローチャートである。
【図７】本発明による他の実施の形態の構成を示すブロック図である。
【図８】従来のルータ装置の一構成を示すブロック図である。
【符号の説明】
１１〜１ｎ      端末装置
１００          ルータ装置
２００          交換機
３００          ＷＡＮ
１１１〜１１ｎ  端末側モジュール
１２１〜１２ｎ  リンクパルス検出回路
１３０          主制御部
１７０          電源制御部
２０１          ＷＡＮ側モジュール
２０２          スイッチ回路
２０３          ＷＡＮ側モジュール制御回路
【図１】
0003570968.tif 000002
【図２】
0003570968.tif 000003
【図３】
0003570968.tif 000004
【図４】
0003570968.tif 000005
【図５】
0003570968.tif 000006
【図６】
0003570968.tif 000007
【図７】
0003570968.tif 000008
【図８】
0003570968.tif 000009